(57)【要約】  内部チャンバを含み、該内部チャンバへの開口を具備する本体と、本体に結合され、内部チャンバの第１の部分と熱的に結合されるように移動されるとともに、熱的に制御された材料を内部チャンバ内へと解放することにより内部チャンバ内の温度を選択的に変えるように構成される温度制御ユニットと、を有する携帯型温度制御容器。【選択図】  図１０
2010513841.tif 000002
【特許請求の範囲】
【請求項１】
内部チャンバを有し、該内部チャンバへの開口を具備する本体と、
前記本体に結合され、前記内部チャンバの第１の部分と熱的に結合されるように移動されるとともに、熱的に制御された材料を前記内部チャンバ内へと解放することにより前記内部チャンバ内の温度を選択的に変えるように構成される温度制御ユニットと、
を備える携帯型温度制御容器。
【請求項２】
前記本体が、携帯型温度制御容器の空間内で取り外し可能に移動される、請求項１に記載の携帯型温度制御容器。
【請求項３】
前記温度制御ユニットが、前記本体の内部チャンバの前記第１の部分に対して熱的に結合される第１の表面を有する筐体を備え、前記第１の表面がその中に含められる、請求項１に記載の携帯型温度制御容器。
【請求項４】
前記温度制御ユニットの第１の表面が複数の開口を備え、前記温度制御ユニットが、該温度制御ユニットの第１の表面の前記複数の開口に一致される複数の開口を有する可動プレートを更に備え、前記第１の表面の複数の開口と前記可動プレートの複数の開口との位置合わせによって複数の調整可能な開口が形成される、請求項３に記載の携帯型温度制御容器。
【請求項５】
前記本体が上端部分を有し、前記本体の内部チャンバの前記第１の部分が前記上端部分で移動される、請求項３に記載の携帯型温度制御容器。
【請求項６】
前記温度制御ユニットの前記筐体内に収容される冷却剤パックを更に備える、請求項３に記載の携帯型温度制御容器。
【請求項７】
前記冷却剤パックが、
第１の所定の冷凍温度を有する第１の材料と、
第２の所定の冷凍温度を有し、前記第１の材料に対して熱的に結合される第２の材料と、
を備える請求項６に記載の携帯型温度制御容器。
【請求項８】
前記本体が下端部分を有し、前記本体の内部チャンバの前記第１の部分が前記下端部分で移動される、請求項３に記載の携帯型温度制御容器。
【請求項９】
前記温度制御ユニットの前記筐体内に収容される加熱パックを更に備える、請求項３に記載の携帯型温度制御容器。
【請求項１０】
前記内部チャンバが容積を有し、携帯型温度制御容器が、前記内部チャンバの容積を変えるように構成される圧縮器を前記内部チャンバ内に更に備える、請求項１に記載の携帯型温度制御容器。
【請求項１１】
前記圧縮器が、
圧力プレートと、
前記内部チャンバ内で前記圧力プレートを移動させるように結合されるエレベータアセンブリと、
を備える請求項１０に記載の携帯型温度制御容器。
【請求項１２】
前記本体が、該本体に形成された分配開口を更に備え、
当該携帯型温度制御容器が、前記本体の内部チャンバ内に嵌合するように構成された食品容器であり、前記分配開口を通じて挿入できる分配部分を有する前記食品容器を更に備える、請求項１に記載の携帯型温度制御容器。
【請求項１３】
前記食品容器の前記分配部分から分配される内容物の量を制御するために、前記分配開口に結合される弁を更に備える、請求項１２に記載の携帯型温度制御容器。
【発明の詳細な説明】
【優先権主張】
【０００１】
[0001]本特許出願は、２００６年１２月２日に出願され且つ参照することにより明確に本明細書に組み込まれる“ＰＯＲＴＡＢＬＥ  ＣＯＯＬＩＮＧ  ＳＹＳＴＥＭ”と題される仮出願６０／８６８，３０２号の優先権を主張する。
【技術分野】
【０００２】
[0002]本発明は、一般に温度制御容器に関し、特に携帯型温度制御容器に関する。
【背景技術】
【０００３】
[0003]多くの携帯型食品販売用途では、分配されるべき製品を特定の温度に維持するために携帯型温度制御容器の使用が必要である。例えば、「ソフトに提供する」様々なソフトアイスクリームのなどの冷凍デザートの分配を含む販売用途では、アイスクリームが特定の温度範囲内の温度に維持されれば好ましい。アイスクリームが十分に冷たく維持されなければ、アイスクリームが溶けてしまう。逆に、アイスクリームが非常に低い温度に維持される場合には、アイスクリームが硬くなりすぎて分配できない。他の例では、ビールなどの液体が冷却されて特定の温度付近に維持されることが望ましい。分配されるべき食品または液体が大気温度よりも高い温度に維持されるようになっていることも好ましい場合がある。例えば、ベースボールスタジアムでの移動販売者は、大気温度よりも高い温度のホットドッグを売りたいと望む場合がある。他の例では、分配されるべき食品がホットチョコレートやスープなどの液体の場合がある。
【０００４】
[0004]食品を特定の温度に維持するという課題に加えて、多くの場合、分配されるべきタイプの食品は、しばしば、大気温度とは反対の温度スペクトル端にある温度に維持される必要がある。したがって、寒い日には、熱い或いは温かい食品および液体が望ましい。一方、暖かい日には、冷たい或いは冷凍の食品および液体が望ましい。
【０００５】
[0005]一般に、分配されるべき食品または液体は、販売者によって断熱容器内で運ばれる。この場合、容器の内部の温度は、冷却源または加熱源の使用によって特定の温度付近に維持される。例えば、冷却は、冷却されるべき物品よりもかなり冷たい氷やドライアイス（すなわち、冷凍二酸化炭素）のパックなどの冷却剤によって成される場合がある。したがって、物品が冷却される必要があるが冷凍される必要はない食品である場合には、冷却されるべき物品の温度を所望の範囲付近に維持することが難しい。これは、冷却剤が、食品が必要とすべき温度よりもかなり冷たいからである。そのため、冷却源が所望の温度よりもかなり低い温度である場合であっても、容器が容器内に収容される物品の温度を特定の範囲内に維持できれば好ましい。また、容器の内容物を冷却するために使用される手法は、用途の携帯性態様と適合される必要がある。これにより、生み出される冷たさの度合いを制御するために冷蔵ユニットをＯＦＦおよびＯＮできる場合であっても、冷蔵ユニットが動作のために必要とするエネルギ量およびこれらのユニットの重量に起因して、冷蔵ユニットのような解決策が必要でなくなる。
【０００６】
[0006]容器内に保存される食品が大気温度よりも高い温度に維持されることが好ましい場合もある。熱源は、化学反応または給電ヒータを使用して熱を生成するヒートパックであってもよい。しかしながら、冷却用途と同様、熱源は、一般に、食品が必要とすべき温度よりも高い温度にある。したがって、加熱源が所望の温度よりもかなり高い温度である場合でも、システムが該システム内に収容される物品の温度を特定の範囲内に維持できれば好ましい。
【発明の概要】
【発明が解決しようとする課題】
【０００７】
[0007]したがって、技術的解決においては、携帯することができ且つ食品を容易に分配できる温度制御容器を提供する必要がある。
【課題を解決するための手段】
【０００８】
[0008]本明細書中に開示された態様は、内部チャンバを含み、該内部チャンバへの開口を具備する本体と、本体に結合され、内部チャンバの第１の部分と熱的に結合されるように移動されるとともに、熱的に制御された材料を内部チャンバ内へと解放することにより内部チャンバ内の温度を選択的に変えるように構成される温度制御ユニットと、を有する携帯型温度制御容器を提供することによって、携帯できる温度制御容器を提供する必要性を扱う。
【０００９】
[0009]本発明は、添付図面を参照することによって更に容易に理解できる。
【図面の簡単な説明】
【００１０】
【図１】冷凍食品分配器の正面斜視図である。
【図２】図１の冷凍食品分配器の背面斜視図である。
【図３】開放したフロントドアが内部チャンバを露出させた状態における図１の冷凍食品分配器の正面斜視図である。
【図４】図１の冷凍食品分配器内に収容される温度制御・圧縮アセンブリの正面斜視図である。
【図５】図４の温度制御・圧縮アセンブリの第２の正面斜視図である。
【図６】露出された温度制御アセンブリを伴う図４の温度制御・圧縮アセンブリの第３の正面斜視図である。
【図７】図１の冷凍食品分配器の遮断弁の斜視図である。
【図８】図４の温度制御・圧縮アセンブリのエレベータアセンブリの斜視図である。
【図９】冷凍食品容器の斜視図である。
【図１０】図９の冷凍食品容器の図４の温度制御・圧縮アセンブリの内部チャンバ内へ挿入されるプロセスにおける斜視図である。
【図１１】図４の温度制御・圧縮アセンブリの内部チャンバ内へ挿入された図９の冷凍食品容器の斜視図である。
【図１２】図４の温度制御・圧縮アセンブリの内部チャンバ内へ挿入された図９の冷凍食品容器の正面図である。
【図１３】図４の温度制御・圧縮アセンブリの内部チャンバ内へ挿入された図９の冷凍食品容器の正面図であり、冷凍食品容器の内容物の一部が本発明の１つの好ましい実施形態にしたがって分配された正面図である。
【図１４】図６の温度制御アセンブリの正面分解斜視図である。
【図１５】図６の温度制御アセンブリの平面図である。
【図１６】図１５に示されるXVI−XVI線に沿う図６の温度制御アセンブリの断面図である。
【図１７】図６の温度制御アセンブリの分解断面図である。
【発明を実施するための形態】
【００１１】
[0027]図面の幾つかの図の全体にわたって、同様の数字は同様の部品を示している。
【００１２】
[0028]以下、開示の様々な態様について説明する。本明細書中の教示内容が多種多様な形態で具現化されてもよく、また、本明細書中に開示される任意の特定の構造、機能、または、これらの両方が単なる典型例であることは明らかである。本明細書中の教示内容に基づき、当業者は、本明細書中に開示された態様が任意の他の態様とは無関係に実施されてもよく、また、これらの態様のうちの２つ以上が様々な方法で組み合わされてもよいことを認識すべきである。例えば、本明細書中で説明される任意の数の態様を使用して、装置が実施されてもよく、あるいは、方法が実行されてもよい。また、他の構造、機能性、すなわち、本明細書中で説明される１つ以上の態様に加えた或いは該１つ以上の態様以外の構造および機能性を使用して、そのような装置が実施されてもよく、または、そのような方法が実行されてもよい。更に、１つの態様が請求項の少なくとも１つの要素を備えていてもよい。
【００１３】
[0029]「典型的」という用語は、本明細書中では、「実施例、事例、または、例示の役目を果たす」ことを意味するために使用される。「典型的」として本明細書中に記載される任意の態様は、必ずしも他の態様よりも好ましい或いは有利であるとして解釈されるべきではない。
【００１４】
[0030]最初に、冷凍デザートが分配されるべき用途において、開示の様々な態様を説明する。図１は、携帯型温度制御容器の開示された態様にしたがって構成される冷凍食品分配器１００を示している。冷凍食品分配器１００は、一対のカップ分配器１０２と、一対のカップホルダ１０４とを含む。開示された冷凍食品分配器の一態様における一対のカップ分配器１０２のそれぞれのカップ分配器は、冷凍食品が分配されるようになっている２組のカップ１１４を保持する。他の態様では、食用容器を含む他の容器が使用されてもよい。例えば、一対のカップ分配器１０２が食用アイスクリームコーンを分配してもよい。冷凍食品分配器１００はトップドア１０６を含んでおり、本明細書中で更に説明するように、トップドア１０６を通じて一対の冷却チャンバが操作される。トップドア１０６は、冷凍食品分配器１００の本体に対してトップドア１０６を固定するための一対のトップドアラッチ１５６を含んでいる。また、冷凍食品分配器１００は、ユーザが冷凍食品分配器１００とインタフェースをとるためのインストルメントパネル１０８、および、冷凍食品分配器１００の一対の内部チャンバを操作するためのフロントドア１１０も含んでいる。
【００１５】
[0031]図２は、バックパネル１７６とハーネス（図示せず）用の取り付けポイント１７２，１７４とを示す冷凍食品分配器１００の背面斜視図である。１つの態様では、ユーザがハーネスを身に着ける。この場合、冷凍食品分配器１００がユーザの前方に位置付けられる。冷凍食品分配器１００は、冷凍食品分配器１００の内容物からユーザを熱的に分離するために断熱技術を使用してもよい。断熱材の使用は、冷凍食品分配器１００の内容物に対して適用された冷却を最大にするために望ましい。
【００１６】
[0032]図３は、温度制御・圧縮アセンブリ３１０を収容する内側チャンバを露出させるためにフロントドア１１０が開放されている状態の冷凍食品分配器１００を示している。温度制御・圧縮アセンブリ３１０は、温度制御・圧縮アセンブリ３１０のそれぞれの内部チャンバ３０４の対にアクセスするために使用される内側ドア３０６の対を含む。内部チャンバ３０４の対の各内部チャンバは、容器または他の物体が挿入されてもよい特定の容積を有する。これらの内部チャンバを熱的に分離するために各内部チャンバで断熱材が使用されてもよい。本明細書中で更に説明されるように、温度制御・圧縮アセンブリ３１０は、内部チャンバ３０４の対の各内部チャンバの容積を変えるように構成される容積制御システムと、内部チャンバ３０４の温度を制御するように構成される温度制御システムとを含む。
【００１７】
[0033]開示された温度制御・圧縮アセンブリの態様において、温度制御・圧縮アセンブリ３１０の容積制御システムは、エレベータアセンブリ３０２と、内部チャンバ３０４の対の各内部チャンバのための圧力プレート３０８とを含む。図３には、エレベータアセンブリ３０２および圧力プレート３０８が互いに離れるように示されている。しかしながら、温度制御・圧縮アセンブリ３１０の動作において、エレベータアセンブリ３０２は、圧力プレート３０８と係合するように移動される。また、エレベータアセンブリ３０２は、エレベータアセンブリ３０２および圧力プレート３０８が一緒に移動するように圧力プレート３０８に対して機械的に取り付けられてもよい。
【００１８】
[0034]図８は、開示された温度制御・圧縮アセンブリの一態様にしたがって構成された図３の温度制御・圧縮アセンブリ３１０のエレベータアセンブリ３０２の斜視図である。エレベータアセンブリ３０２は、エレベータフレーム８０４内に装着されてウォームギア８１０を駆動させるモータ８０２を含む。ウォームギア８１０は、複数の傘歯車８１２を介して第２のシャフト８１４を駆動させるためにシャフト８０８に取り付けられる。第２のシャフト８１４は、冷凍食品容器９００を圧縮させるために複数のトラック４４０と係合される複数の駆動歯車８１６を含む。具体的には、モータ８０２が作動されると、複数の駆動歯車８１６が駆動されて、エレベータアセンブリ３０２が上方または下方へ移動してもよい。前述したように、開示された圧縮アセンブリの一態様において、エレベータアセンブリ３０２は、エレベータアセンブリ３０２が上方または下方へ駆動されるときに圧力プレート３０８も上方または下方へそれぞれ移動されるように圧力プレート３０８に対して結合される。
【００１９】
[0035]図４は、冷凍食品分配器の動作のために使用されるバッテリおよび他の電気部品（図示せず）が装着されるベース４２０を含む、冷凍食品分配器１００からの温度制御・圧縮アセンブリ３１０の詳細図を示している。また、温度制御・圧縮アセンブリ３１０は、一対の冷却剤チャンバ４０２よりも下側に装着された温度制御システム４０４も含む。図５も参照すると、温度制御・圧縮アセンブリの動作の一態様では、冷却材料が一対の冷却剤チャンバ４０２内に配置される。この場合、動作時に、温度制御システム４０４は、一対の冷却剤チャンバ４０２のそれぞれから複数の冷却スロット５０８を通じて一対の内部チャンバ３０４のその対応する内部チャンバ内へと解放される冷却剤の量を制御する。冷却剤の解放は、一対の内部チャンバ３０４のそれぞれの内部チャンバ内の温度に影響を与える（例えば、温度を下げる）。一対の内部チャンバ３０４のそれぞれの内部チャンバは、逃げる必要がある任意の冷却剤が逃げることができるように複数の排出スロット５０２も含む。一対の内部チャンバ３０４のそれぞれの内部チャンバは、開示された温度制御・圧縮アセンブリの一態様で冷凍食品容器９００を圧縮させるためにエレベータアセンブリ３０２の動作で必要とされる複数のトラック４４０も含む。
【００２０】
[0036]図６は、開示された温度制御システムの１つの態様にしたがって構成される露出された温度制御システム４０４を伴う温度制御・圧縮アセンブリ３１０の他の斜視図である。温度制御システム４０４は一対の温度制御ディスク６０２を含み、各温度制御ディスクは複数の冷却スロット６０４がカットされて構成されている。複数のスロット６０４は、冷却剤チャンバ４０２内へ分配される冷却剤の量を制御するため、冷却剤チャンバ４０２からの複数の冷却スロット５０８と関連して使用され、また、図１４も参照して、温度制御システム４０４のトレイ内に位置される複数の冷却スロット１４０４と関連して使用される。具体的には、複数の冷却スロット１４０４のそれぞれが複数の冷却スロット５０８の対応する１つに位置合わせされ、また、各温度制御ディスク６０２が回転されると、複数の冷却スロット６０４が複数の冷却スロット５０８に位置合わせされる。このように、複数の冷却スロット１４０４が複数の冷却スロット５０８に位置合わせされるため、複数の冷却スロット６０４が複数の冷却スロット５０８に位置合わせされると、複数の冷却スロット６０４は複数の冷却スロット１４０４とも位置合わせされる。複数の冷却スロット５０８（したがって、複数の冷却スロット１４０４）に対する複数の冷却スロット６０４の位置合わせの度合いに応じて、冷却剤チャンバ４０２内へ解放される冷却剤の量を制御できる。複数の温度制御ディスク６０２の対のそれぞれ１つは、別々に制御されてもよい。したがって、一対の温度制御ディスク６０２の各ディスクは、下側にある内部チャンバの温度に独立に影響を与えるように制御されてもよい。
【００２１】
[0037]図９は、一対の内部チャンバ３０４の各内部チャンバ内へ挿入されてもよい開示された冷凍食品容器の一態様にしたがって構成される冷凍食品容器９００を示している。冷凍食品容器９００は、冷凍食品容器内に収容される冷凍食品を分配できるように制御された予測可能な方法で冷凍食品容器９００を圧縮できるようにする複数の折り目９０２を含む。また、冷凍食品容器９００は分配チューブ９０４も含み、冷凍食品容器９００が圧縮されるときに分配チューブ９０４を通じて冷凍食品が抜け出ることができる。冷凍食品容器９００は冷凍食品の迅速で且つ衛生的な交換を可能にする。
【００２２】
[0038]図４に戻り参照し、また、図５〜７を更に参照すると、開示された遮断弁の１つの態様にしたがって構成された冷凍食品分配器１００の遮断弁４１２の斜視図が示されている。遮断弁４１２は、クランプ７０６を閉じて冷凍食品容器９００の内容物の分配を制御するためにねじ付きシャフト７０４を駆動させるモータ７０２を含む。開示された弁の一態様において、クランプ７０６は、本明細書中で更に説明するように、分配チューブ９０４を閉じて冷凍食品容器９００から分配されるべきものを制限するように構成されるとともに、冷凍食品容器９００内に収容される冷凍食品の分配を制御するためにエレベータアセンブリ３０２および圧力プレート３０８と関連して使用される。
【００２３】
[0039]図１０は、温度制御・圧縮アセンブリ３１０の内部チャンバ３０４のうちの一方へまさに挿入されようとしている冷凍食品容器９００の斜視図である。説明を簡単にするため、温度制御・圧縮アセンブリ３１０の半分側だけについて説明する。冷凍食品分配器の開示された動作の一態様において、冷凍食品容器９００は、冷凍食品分配器１００内の一対の内部チャンバ３０４のうちの一方へ挿入される。この場合、冷凍食品容器９００の分配チューブ９０４は、内部チャンバに関連付けられた遮断弁４１２の開口に挿通される。
【００２４】
[0040]図１１および図１２は、冷凍食品容器が温度制御・圧縮アセンブリ３１０の一対の内部チャンバ３０４のうちの一方へ挿入された後における冷凍食品容器９００の斜視図および側面図をそれぞれ示している。冷凍食品分配器の開示された動作の一態様では、冷凍食品容器９００が装填された後、遮断弁４１２が分配チューブ９０４をクランプすることができる。その後、エレベータアセンブリ３０２が冷凍食品分配器９００とぴったり合うように下降される。冷凍食品分配器の他の開示された動作において、エレベータアセンブリ３０２は、冷凍食品が分配されるように準備するべく使用されており、それにより、冷凍食品容器９００は、冷凍食品容器９００内に収容された所定量の冷凍食品が分配チューブ９０４から分配された後に遮断弁４１２が閉じられるまで圧搾される。
【００２５】
[0041]既に説明したように、エレベータアセンブリ３０２が上方または下方へ駆動されると、圧力プレート３０８も上方または下方へ移動される。圧力プレート３０８が下方へ移動されると、冷凍食品容器９００の内容物を分配するために冷凍食品容器９００が圧力プレート３０８によって圧縮される。前述したように、分配チューブ９０４を通じた冷凍食品容器９００の内容物の分配は遮断弁４１２によっても調整される。遮断弁４１２は、冷凍食品容器９００から分配される冷凍食品の最大量を調整するために使用されてもよく、一方、エレベータアセンブリ３０２および圧力プレート３０８は、冷凍食品容器９００に加えられる所望の正圧を生み出すために使用されてもよい。また、エレベータアセンブリ３０２および圧力プレート３０８は、遮断弁４１２が冷凍食品の分配を停止するように作動する前に冷凍食品容器９００に対して加えられる所望の負圧を生み出すために使用されてもよい。具体的には、エレベータアセンブリ３０２（したがって、圧力プレート３０８）が上方へ移動されると、冷凍食品容器９００の拡張が許容される（あるいは、冷凍食品容器９００が圧力プレート３０８に取り付けられる場合には、アコーディンのように拡張させられる）。この場合、冷凍食品容器９００の内容物は分配チューブ９０４を通じて引き戻される。したがって、エレベータアセンブリ３０２は、冷凍食品容器９００の内容物の分配を調整できるように遮断弁４１２と関連して動作される。
【００２６】
[0042]図１３は、温度制御・圧縮アセンブリ３１０内へ既に挿入された冷凍食品容器９００の正面図である。この場合、冷凍食品容器９００の内容物の一部は冷凍食品容器の動作の一態様にしたがって分配されてしまっている。
【００２７】
[0043]図１４は、図１０〜１３および図１５〜１８を参照して説明される温度制御アセンブリ４０４の正面分解斜視図である。開示された温度制御アセンブリの一態様において、温度制御アセンブリ４０４は、冷却剤チャンバ４０２内に格納される冷却パック１００２を含む。開示された冷却パックの一態様では、図１８に示されるように、冷却パック１００２が水で満たされる。冷却パック１００２はドライアイス部１６０２も含む。冷却パック１００２は冷却剤チャンバ４０２の内部へ挿入される。冷却パック１００２の周囲の空気が冷却されると、冷却された空気は、複数の冷却スロット５０８を下降して、複数の冷却スロット５０８と温度制御システム４０４のトレイの複数の冷却スロット１４０４とに位置合わせされる温度制御ディスク６０２の複数の冷却スロット６０４の一部を通過して、冷却剤チャンバ４０２の内部へと至る。
【００２８】
[0044]図１６は、図１５に示される平面図のXVI−XVI線に沿う温度制御アセンブリ４０４の断面図である。また、図１７は制御アセンブリ４０４からの選択された構成部品の断面図であり、図１８は、温度制御アセンブリ４０４の分解断面図である。これらの図に示されるように、温度制御ディスク６０２は、一組の歯車１６０４に結合されたモータ１６０２によって回転される。温度制御ディスク６０２の位置合わせは、冷却剤が冷却した空気による冷凍食品分配器１００の内部チャンバ３０４への冷却を制御する。具体的には、内部チャンバ３０４内の物品に対して行なわれる冷却を制御するために、温度制御ディスク６０２の複数の冷却スロット６０４が冷却剤チャンバ４０２からの複数の冷却スロット５０８と温度制御システム４０４のトレイに位置される複数の冷却スロット１４０４とに位置合わせされる。なお、冷凍食品分配器の開示された構造の一態様において、冷却剤（例えば、冷却パック１００２）の位置は、より濃密となる冷却されている空気が被冷却製品上にわたって重力により引き寄せられるように冷凍食品分配器１００に対して位置付けられるものとする。
【００２９】
[0045]前述したように、冷凍食品分配器１００から分配され得る１つの冷凍食品はアイスクリームである。開示された冷凍食品分配器の他の態様において、冷却されている物品は、液体のような物品（例えば、アルコール飲料およびノンアルコール飲料）、半冷凍液体（例えば、「スラッシー」）、あるいは、冷却され或いは特定の温度付近に維持される必要がある任意の物品であってもよい。例えば、本明細書中で説明される携帯型温度制御容器は、所定の温度に維持される必要がある生物学的材料（例えば、人間の臓器）または化学物質などの非食用物品を冷却するために使用されてもよい。また、携帯型温度制御容器の構造は、飲料クーラーに類似する形状に似た形態を含めて、持ち運びされる内容物に適するように変更されてもよい。更に、携帯型冷却システムには、混合された或いは混合さない冷凍液体飲料または半冷凍液体飲料を分配するための他の分配機構が組み込まれてもよい。例えば、標準的な内部サイズは、様々な機能（混合、冷却、加熱）を果たすカスタムモジュールを交換可能にできるように作られてもよい。したがって、適切なモジュールの選択だけで、各携帯型温度制御容器を特定の用途のためにカスタマイズすることができる。
【００３０】
[0046]更にまた、開示された携帯型温度制御容器の他の態様では、大気温度よりも高い温度に維持される必要がある物品を保管するために加熱容器が使用されてもよい。この場合、熱が上昇するという物理的特性をうまく利用するために、温度制御（すなわち、加熱）ユニットが温度制御・圧縮アセンブリの内部チャンバの底部に位置されてもよい。実際には、開示された温度制御・圧縮アセンブリの向きが逆さまに変えられてもよい。したがって、内部チャンバに対して与えられる熱の量は、温度制御ユニットからの熱が内部チャンバ内へと上昇できるようにする温度制御ユニットの開口のサイズに基づいている。化学または電気に基づく解決策を含む任意の適した熱源が使用されてもよい。
【００３１】
[0047]開示された態様の以上の説明は、任意の当業者が本開示内容を製造し或いは使用できるように与えられている。これらの態様に対する様々な変形例は当業者に容易に明らかであり、また、本明細書中に規定される一般原理は、本開示の範囲から逸脱することなく他の態様に対して適用されてもよい。このように、本開示は、本明細書中に示される態様に限定されることを意図しておらず、本明細書中に開示された原理および新規な特徴と一致する最も幅広い範囲が与えられることを意図している。したがって、本発明は、以下の特許請求の範囲によってのみ規定されるべきである。
【図１】
2010513841.tif 000003
【図２】
2010513841.tif 000004
【図３】
2010513841.tif 000005
【図４】
2010513841.tif 000006
【図５】
2010513841.tif 000007
【図６】
2010513841.tif 000008
【図７】
2010513841.tif 000009
【図８】
2010513841.tif 000010
【図９】
2010513841.tif 000011
【図１０】
2010513841.tif 000012
【図１１】
2010513841.tif 000013
【図１２】
2010513841.tif 000014
【図１３】
2010513841.tif 000015
【図１４】
2010513841.tif 000016
【図１５】
2010513841.tif 000017
【図１６】
2010513841.tif 000018
【図１７】
2010513841.tif 000019
【図１８】
2010513841.tif 000020
【国際調査報告】
2010513841.tif 000021